(57)【特許請求の範囲】
【請求項１】
タンクの水または温水を複数の水路に切り替え供給する流調バルブを有し、各水路から別個に供給された水または温水をノズルからそれぞれ吐水することにより局部を洗浄する衛生洗浄装置において、
第１の水路を共用して異なる洗浄動作を行う場合に、各洗浄動作に応じてタンクの水または温水を切り替え供給する流調バルブを備え、
流調バルブは、固定支持されたステータと、このステータに摺動して回動自在に支持され制御部の指示に応じて所定の回動角度位置に回動されるロータとを有し、
ロータは、タンクからの水または温水を通水する通水部を有し、
ステータは、各洗浄動作ごとに異なる回動角度位置に設けられ、ロータの通水部から通水された水または温水を第１の水路に供給する複数の穴部を有し、
流調バルブは、前記複数の穴部の中間に対応する回動角度位置に止水位置を有することを特徴とする衛生洗浄装置。
【請求項２】
タンクの水または温水を複数の水路に切り替え供給する流調バルブを有し、各水路から別個に供給された水または温水をノズルからそれぞれ吐水することにより局部を洗浄する衛生洗浄装置において、
第１の水路を共用して異なる洗浄動作を行う場合に、各洗浄動作に応じてタンクの水または温水を切り替え供給する流調バルブを備え、
流調バルブは、固定支持されたステータと、このステータに摺動して回動自在に支持され制御部の指示に応じて所定の回動角度位置に回動されるロータと、第１の水路とは異なる第２の水路とを有して、タンクの水または温水を第１の水路のみ、または第１の水路と第２の水路の両方のいずれかに切り替え供給し、
ロータは、回動中心から異なる第１および第２の半径位置にタンクからの水または温水を通水する第１および第２の通水部とを有し、
ステータは、各洗浄動作ごとに異なる回動角度位置に設けられ、第１の半径位置であって回動中心から異なる回動角度位置にそれぞれ設けられロータの第１の通水部から通水された水または温水を第１の水路に供給する第１および第２の穴部と、第２の半径位置であってロータの第１の通水部から第２の穴部に通水される場合にロータの第２の通水部から通水される回動角度位置に設けられ第２の通水部から通水された水または温水を第２の水路に供給する第３の穴部を有することを特徴とする衛生洗浄装置。
【請求項３】
請求項２記載の衛生洗浄装置において、
流調バルブは、
第１のおしり洗浄動作を行う場合には第１の水路へのみタンクの水または温水を供給し、第１のおしり洗浄動作時より局部への刺激の少ない第２のおしり洗浄動作を行う場合には第１および第２の水路の両方にタンクの水または温水を供給することを特徴とする衛生洗浄装置。
【請求項４】
請求項２記載の衛生洗浄装置において、
第１の半径位置は、
第２の半径位置より外側の半径位置とすることを特徴とする衛生洗浄装置。
【発明の詳細な説明】
【０００１】
【発明の属する技術分野】
本発明は、衛生洗浄装置に関し、特に人体の局部に水または温水を吐水することにより、局部を洗浄する衛生洗浄装置に関するものである。
【０００２】
【従来の技術】
一般に、人体の局部に水または温水を吐水することにより、局部を洗浄する衛生洗浄装置では、ノズルにおしり洗浄用およびビデ洗浄用の２つの水路を設けて、これら水路の切り替えおよびそれぞれの吐水量を流調バルブで制御することにより、利用者が所望する強さによる洗浄を可能としている。
また、おしり洗浄動作において、局部に痔などの疾患が生じている場合を考慮して、より局部への刺激の少ないソフト感のある洗浄を行うために、通常のおしり洗浄時より吐水量を低減させておしりソフト洗浄を行うものとなっていた。
【０００３】
【発明が解決しようとする課題】
しかしながら、このような従来の衛生洗浄装置では、流調バルブにおいて各水路に対して１つの流量調節機構しか備えていないため、同一水路を異なる洗浄動作で共用する場合には、設計上の自由度が狭く、各洗浄動作に応じた最適な吐水量制御を行うことができないという問題点があった。
本発明はこのような課題を解決するためのものであり、各洗浄動作に応じて最適な吐水量制御を行うことができる衛生洗浄装置を提供することを目的としている。
【０００４】
【課題を解決するための手段】
このような目的を達成するために、本発明による衛生洗浄装置は、第１の発明として、第１の水路を共用して異なる洗浄動作を行う場合に、各洗浄動作に応じてタンクの水または温水を切り替え供給する流調バルブを備え、流調バルブは、固定支持されたステータと、このステータに摺動して回動自在に支持され制御部の指示に応じて所定の回動角度位置に回動されるロータとを有し、ロータは、タンクからの水または温水を通水する通水部を有し、ステータは、各洗浄動作ごとに異なる回動角度位置に設けられ、ロータの通水部から通水された水または温水を第１の水路に供給する複数の穴部を有し、流調バルブは、前記複数の穴部の中間に対応する回動角度位置に止水位置を有するものである。
したがって、各洗浄動作ごとに異なる回動角度位置に設けられたステータの複数の穴部のうち、任意の洗浄動作に対応する所定の穴部を介して、ロータの通水部から通水された水または温水が第１の水路に供給され、複数の穴部の中間に対応する回動角度位置に設けられた止水位置で止水される。
【０００５】
また第２の発明として、流調バルブは、第１の水路とは異なる第２の水路を有し、タンクの水または温水を第１の水路のみ、または第１の水路と第２の水路の両方のいずれかに切り替え供給し、ロータは、回動中心から異なる第１および第２の半径位置にタンクからの水または温水を通水する第１および第２の通水部を有し、ステータは、第１の半径位置であって回動中心から異なる回動角度位置にそれぞれ設けられロータの第１の通水部から通水された水または温水を第１の水路に供給する第１および第２の穴部と、第２の半径位置であってロータの第１の通水部から第２の穴部に通水される場合にロータの第２の通水部から通水される回動角度位置に設けられ第２の通水部から通水された水または温水を第２の水路に供給する第３の穴部を有するものである。
したがって、所定のおしり洗浄動作を行う場合には、ロータの第１の通水部およびステータの第１の穴部を介して第１の水路へのみタンクの水または温水が供給される。また、他のおしり洗浄動作時を行う場合には、ロータの第１の通水部およびステータの第２の穴部を介して第１の水路へタンクの水または温水が供給されると同時に、ロータの第２の通水部およびステータの第３の穴部を介して第２の水路へタンクの水または温水が供給される。
【０００６】
また第３の発明として、第２の発明において、流調バルブは、第１のおしり洗浄動作を行う場合には第１の水路へのみタンクの水または温水を供給し、第１のおしり洗浄動作時より局部への刺激の少ない第２のおしり洗浄動作を行う場合には第１および第２の水路の両方にタンクの水または温水を供給するようにしたものである。したがって、第１のおしり洗浄動作を行う場合には第１の水路へのみタンクの水または温水が供給され、第１のおしり洗浄動作時より局部への刺激の少ない第２のおしり洗浄動作を行う場合には第１および第２の水路の両方にタンクの水または温水が供給される。
また、第４の発明は、第２発明において、第１の半径位置を、第２の半径位置より外側の半径位置としたものである。したがって、ロータの第２の通水部より外側に第１の通水部が設けられるとともに、ステータの第３の穴部より外側に第１および第２の穴部が設けられる。
【０００７】
【発明の実施の形態】
次に、本発明について図面を参照して説明する。
図１は本発明の一実施の形態である衛生洗浄装置のブロック図であり、同図において、１はＣＰＵなどの制御回路からなり装置の各部を制御する制御部、２は電磁弁３を介して給水された水道水などの水をヒータ５により温水に暖めて蓄湯するための密閉された温水タンク、４は電磁弁３と温水タンク２との間の水路に設けられ、温水タンク２からのオーバーフローを排水するための安全弁である。
【０００８】
６は温水タンク２内の水温を検出するための温度センサ、７は温水タンク２内の温水水位を検出するためのフロートスイッチである。
また、８は電磁弁３からの給水に応じて密閉された温水タンク２の内圧が上昇し、所定圧以上となった場合に、温水タンク２内の温水を流調バルブ１０に供給するバキュームプレーカであり、流調バルブ１０側からの逆流水を排水する機能も有している。
【０００９】
１０は制御部１の制御によるモータ１４の回動角度に応じて、温水タンク２側から供給された温水の吐水水路の切り替え、およびその吐水量を制御する流調バルブである。
本発明では、比較的強い吐水水勢のおしり洗浄（以下、おしりハード洗浄という）に用いる水路１１（第１の水路）、およびビデ洗浄用の水路１３（第３の水路）の他に、局部への刺激の少ないソフト感のあるおしり洗浄（以下、おしりソフト洗浄という）に用いる水路として、水路１１と同時に用いられる水路１２（第２の水路）が設けられている。
【００１０】
１５はこれら水路１１〜１３から供給された温水をそれぞれ別個の吐水する吐水出口をその先端に有するノズルである。
このノズル１５は、制御部１の制御によるモータ１６の回転により、各種洗浄動作時には、所定の吐水位置まで伸出し、洗浄終了に応じて所定の収納位置に収納される。
【００１１】
次に、図２を参照して、流調バルブについて詳細に説明する。
図２は、流調バルブの構成を示す説明図であり、（ａ）は側面断面図、（ｂ）はステータの上面図、（ｃ）はロータの上面図、（ｄ）はステータと各水路との位置関係を示す説明図である。
図２（ａ）において、２０Ｌは流調バルブの本体、２０Ｍは本体２０Ｌ上に本体底面からネジで固定される蓋体、２０Ｕは蓋体２０Ｍの上に本体２０Ｌの底面からネジで固定されるカバーである。
【００１２】
カバー２０Ｕは、底部に開口した内室を有し、温水の漏洩を阻止するＯリング２０Ｐを挟んで蓋体２０Ｍの上面と圧接されることにより、温水タンク側から温水入口２０Ｔを介して供給される温水をロータ２２に通水する液室２０Ｗを形成する。
蓋体２０Ｍは、底部が開口した溝状の３つの内室を有し、温水の漏洩を阻止するシール部材２０Ｑを挟んで、その開口と本体２０Ｌの上面と圧接されることにより、各水路１１〜１３（図１参照）への温水出口２０Ａ〜２０Ｃに対して、温水を個別に供給するための水路２０１〜２０３を形成する。
【００１３】
ステータ２１は、底部が開口した溝状の３つの内室を有し、カバー２０Ｕにより、その開口と蓋体２０Ｍの上面とが圧接されることにより、水路２１Ａ〜２１Ｃを形成する。なお、ステータ２１と蓋体２０Ｍとに挟まれたＯリング２１Ｓにより、温水の漏洩が阻止される。
ロータ２２は、モータ１４の回動軸１４Ａの回動を伝達するステム２３に係止され、コイルバネ２３Ｃによりステム２３とは逆方向のステータ２１上面に押圧されている。
【００１４】
これらロータ２２およびステム２３は、カバー２０Ｕ上部の丸穴に勘合されて、回動自在に支持されており、シール部材２３Ｂにより温水の漏洩が阻止されている。
モータ１４の回動軸１４Ａには、軸方向と直交するアーム１４Ｂが設けられており、ステム２３の上部に突出した係止片２３Ａと係合することにより、回動軸１４Ａの回動をステム２３に伝達する。
【００１５】
また、このステム２３が勘合される丸穴の円周上側部には、ストッパ２０Ｓが突出して設けられており、このストッパ２０Ｓによりアーム１４Ｂの回動が制止され、回動軸１４Ａの基準位置が確認される。
したがって、制御部１（図１参照）からの制御によりモータ１４が基準位置から所定角度だけ回動され、モータ１４の回動が、回動軸１４Ａ、アーム１４Ｂ、係止片２３Ａを介してステム２３に伝達され、ロータ２２が所定回動角まで回動される。
【００１６】
ロータ２２は、図２（ｃ）に示すように、中心にステム２３の回動軸が勘合される穴２２Ｃを有する所定厚さの円盤からなる。
また、ロータ２２の円周（第１の半径位置）の一部には、扇形の切り欠き２２Ａ（第１の通水路）が設けられており、この切り欠き２２Ａより内半径側（第２の半径位置）であって、ほぼ等しい角度位置に扇形の穴２２Ｂ（第２の通水路）が設けられている。
これら切り欠き２２Ａおよび穴２２Ｂを介して、液室２０Ｗ内の温水がステータ２１に通水される。
【００１７】
ステータ２１の上面すなわちロータ２２と摺動する面には、図２（ｂ）に示すように、所定の角度位置に、扇形の長穴２１１〜２１４が設けられている。
特に、長穴２１１（第１の穴部），長穴２１２（第２の穴部），長穴２１４（第４の穴部）は、ロータ２２の切り欠き２２Ａとほぼ同一半径位置（第１の半径位置）に配置されている。
また、長穴２１３（第３の穴部）は、長穴２１１の角度位置とほぼ等しく、この長穴２１１より内側のロータ２２の穴２２Ｂとほぼ同一半径位置（第２の半径位置）に配置されている。
【００１８】
長穴２１１〜２１４の形状は、扇形であってその半径方向の幅が所定周方向に向かって徐々に狭くなるくさび形をなしている。
特に、長穴２１１，２１２，２１４は後述する水抜位置θ３  に向かって徐々に幅が広くなり、長穴２１３は後述するストッパ位置θ０  に向かって徐々に幅が広くなっている。
これにより、ロータ２２の回動角度にほぼ比例して、長穴２１１〜２１４の開度面積が徐々に変化し、滑らかに吐水量を変化させることができる。
【００１９】
さらに、穴２１１，２１２の下側には、底部が開口する扇形の水路２１Ａが設けられており、穴２１４の下側には、底部が開口する扇形の水路２１Ｃが設けられている。
また、穴２１３の下側には、底部が開口する円形の水路２１Ｂが設けられている。
【００２０】
一方、このステータ２１が圧接される蓋体２０Ｍの上面には、図２（ｄ）に示すように、ステータ２１の各水路２１Ａ〜２１Ｃに対応する位置に、それぞれ穴２０４〜２０６が設けられている。
さらに、各穴２０４〜２０６の下側には、水路１１〜１３への温水出口２０Ａ〜２０Ｃへ連絡する水路として、底部が開口する水路２０１〜２０３が設けられており、本体２０Ｌの上面との間に狭持されたシール部材２０Ｑにより、各水路２０１〜２０３からの温水の漏洩が阻止されている。
【００２１】
このようにして、液室２０Ｗ内の温水が、所定回動角に回動されたロータ２２の切り欠き２２Ａまたは穴２２Ｂを介して、これらと係合する位置のステータ２１の長穴２１１〜２１３に通水され、ステータ２１の水路２１Ａ〜２１Ｃに、長穴２１１〜２１３の開度に応じた所定の流量だけ供給される。
さらに、水路２１Ａ〜２１Ｃ内に供給された温水は、蓋体２０Ｍの穴２０４〜２０６を介して水路２０１〜２０３に供給され、それぞれ水路１１〜１３に供給されるものとなる。
【００２２】
このように、水路１１へ温水を供給するロータ２２の切り欠き２２Ａと、ステータの長穴２１１，２１２，２１４とが設けられた半径位置とは異なる半径位置に、水路１２へ温水を供給するロータ２２の穴２２Ｂとステータの長穴２１３とを設けて、所定のロータ回動角度位置で、切り欠き２２Ａから長穴２１２に温水を通水させると同時に、穴２２Ｂから長穴２１３に温水を通水させるようにしたので、ロータ２２およびステータ２１の限られた面積および回動角度を有効に利用することができ、流調バルブを大型化することなく、水路１１，１３のみへの給水、または水路１１，１２の両方への給水を切替制御することができる。
【００２３】
また、水路１１へ温水を供給するロータ２２の切り欠き２２Ａと、ステータの長穴２１１，２１２，２１４を外側の半径位置に配置し、水路１２へ温水を供給するロータ２２の穴２２Ｂとステータの長穴２１３とを内側の半径位置に配置したので、同一回動角度範囲でも比較的面積が大きいロータおよびステータの外周側に、ロータ２２の切り欠き２２Ａおよびステータ２１の長穴２１１，２１２，２１４として、面積の大きな穴部を形成することができ、限られた回動角度であっても比較的大きな吐水量を水路１１，１３に給水できる。
【００２４】
図３は、ロータの回動角度位置と各水路からの吐水量との関係を示す説明図、図４は、ロータの回動角度位置とステータとの位置関係を示す説明図である。
図３において、３１はおしりハード洗浄動作時における水路１１の吐水量を示しており、図４（ａ）に示す基準のストッパ位置θ０  で最大吐水量となり、回動角度θが増す（図４では時計回りに回動する）につれて、ロータ２２の切り欠き２２Ａおよび穴２２Ｂ内で、ステータ２１の長穴２１１と長穴２１２，２１３との間の回動角度領域（止水部）の割合が増加して吐水量３１が減少し、図４（ｂ）に示す止水位置θ１  で切り欠き２２Ａおよび穴２２Ｂが閉鎖され、吐水量がゼロとなる。
【００２５】
また、３２，３３はおしりソフト洗浄動作時における水路１１，１２の吐水量を示しており、３４は水路１１，１２の合計吐水量を示している。
止水位置θ１  から図４（ｃ）に示す最大吐水量となる角度θ２  まで回動するにつれて、水路１１の吐水量３２が増加するが、水路１２の吐水量３３はほぼ一定のままとなる。
これにより、おしりソフト洗浄動作時は、水路１１，１２から、おしりハード洗浄動作時の吐水量３１と比較して、より大きな合計吐水量３４が吐水される。
【００２６】
したがって、バキュームプレーカ８を介して一定圧力で温水が供給されるとともに、おしりソフト洗浄時には水路１２からも吐水されるため、その分、おしりハード洗浄時に単独で用いられる水路１１からの吐水量がやや低減される。
また、水路１１，１２の両方から広い当たり面で、おしりハード洗浄時と比較して、より大きな吐水量で吐水されるものとなる。
【００２７】
これにより、従来のように、おしりソフト洗浄時に吐水量を低減するものと比較して、洗浄力を低下させることなく、局部への刺激の少ないソフト感のあるおしり洗浄を行うことができる。
また、おしりハード洗浄動作時に用いる水路１１を、おしりソフト洗浄動作時に兼用するようにしたので、比較的吐水量が小さく断面積の小さい水路１２のみを新たに設けるだけで済み、流調バルブやノズル径の大型化を抑制することができる。
【００２８】
また、図４（ｄ）に示す水抜位置θ３  では、水路１１〜１３の吐水量がほぼ最大となって、温水ポンプ側から流調バルブ１０内までの水路の残水が吐水（水抜き）される。
さらに、３５はビデ洗浄動作時における水路１３の吐水量を示しており、図４（ｅ）に示す角度θ４  では、ビデ洗浄動作時における水路１３の吐水量３５が最大となり、ストッパ位置θ５  まで回動するにつれて吐水量３５が減少し、図４（ｆ）に示すストッパ位置θ５  でゼロとなり、止水状態となる。
【００２９】
図５はノズル先端を示す説明図であり、（ａ）は上面図、（ｂ）は側面断面図である。
図５において、５１は斜め上方前方の局部方向に湾曲して貫通する水路１１〜１３を有するノズルヘッド、５２はノズルヘッド５１の水路１１〜１３の吐水出口に超音波溶着などにより漏洩を阻止して接合され、水路１１〜１３の吐水出口から吐水される温水の吐水方向を揃えるための穴５２Ａ〜５２Ｃを有するストレーナである。
【００３０】
特に、おしりソフト洗浄動作時に水路１２からの温水を吐水する複数の穴５２Ｂ（第２の吐水出口穴）は、水路１１の温水を吐水する穴５２Ａ（第１の吐水出口穴）より小さい口径となっている。
これにより、おしりソフト洗浄動作時には、口径の小さい複数の穴５２Ｂから局部に対して同時に吐水されるため、水または温水が吐水される当たり面の面積が大きくなって、よりよいソフト感が得られる。
【００３１】
さらに、水路１２の複数の穴５２Ｂは、水路１１の穴５２Ａの周囲に配置されており、これら穴５２Ｂと水路１２とを連結するための液室５３が、水路１１の周囲に設けられている。
これにより、おしりソフト洗浄動作時には、おしりハード洗浄動作時に温水が吐水される穴５２Ａと、この周囲の複数の穴５２Ｂとから、局部に対して同時に吐水されるため、水勢が比較的小さい場合でも洗浄力の低下を回避できる。
【００３２】
次に、図６，７を参照して、本発明の動作として、おしり洗浄時およびビデ洗浄時の動作を例に説明する。
図６はおしり洗浄時の動作を示すシーケンス図、図７はビデ洗浄時の動作を示すシーケンス図であり、それぞれ（ａ）は電磁弁のＯＮ／ＯＦＦ、（ｂ）はノズルの伸出／収納、（ｃ）はロータ回動角度を示している。
【００３３】
まず、おしりソフト洗浄時には、図６に示すように、操作部９（図１参照）のおしりソフト洗浄ＳＷの操作に応じて、制御部１が電磁弁３をＯＮして水道水を温水タンク２に供給する。
これにより、密閉された温水タンク２の内圧が上昇し、温水タンク２内の温水がバキュームプレーカ８を介して流調バルブ１０に供給される。
【００３４】
通常の待機時には、流調バルブ１０のロータ２２が水抜位置（θ３  ）に設定されており、収納位置にあるノズル１５の水路１１〜１３から温水が吐水され、前洗浄動作として、ノズルヘッド５１（図５参照）およびストレーナ５２自体が洗浄される。
前洗浄動作終了後、電磁弁３のＯＦＦから所定時間だけ待機し、止水位置（θ１  ）まで一気に回動される。
【００３５】
続いて、制御部１によりモータ１６が駆動され、ノズル１５が所定の局部洗浄位置まで伸出する。
この後、ロータ２２がおしりソフト洗浄側（θ２  方向）に徐々に回動されるとともに、所定回動位置で電磁弁３が０Ｎされる。
これにより、温水タンク側からの温水が流調バルブ１０で水路１１および水路１２の両方に切り替えられ、ノズルヘッド５１のストレーナ５２に設けられた穴５２Ａ，５２Ｂの両方から吐水される。
【００３６】
なお、吐水される温水の水勢は、ロータ２２の回動に応じて、予め操作部９のつまみなどで設定された上限値まで、徐々に強くなる。図６では、上限値として最大値が設定されている例が示されている。
その後の停止ＳＷの操作に応じて、電磁弁３がＯＦＦされ、所定期間待機した後、ロータ２２が止水位置まで回動されて吐水が停止され、モータ１６が駆動され、ノズル１５が元の収納位置まで収納される。
【００３７】
続いて、ロータ２２が水抜位置（θ３  ）まで一気に回動され、再び電磁弁３がＯＮされる。これにより、収納位置にあるノズル１５の水路１１〜１３から、温水が吐水され、後洗浄動作として、ノズルヘッド５１およびストレーナ５２自体が洗浄される。
この後、ロータ２２がストッパ（止水）位置（θ５  ）まで一旦回動されて基準位置が認識された後、水抜位置まで戻されて待機状態となり、一連のおしりソフト洗浄動作を終了する。
【００３８】
一方、おしりハード洗浄時には、ノズル伸出前およびノズル収納開始後の動作は、前述したおしりソフト洗浄時の動作と同じであり、ノズル伸出後からノズル収納直前までのロータ２２の回動角が異なる。
すなわち、おしりハード洗浄時には、ノズル伸出後、おしりハード洗浄側（θ０  方向）に徐々に回動されるとともに、所定回動位置で電磁弁３が０Ｎされる。これにより、温水タンク側からの温水が流調バルブ１０で水路１１にのみ切り替えられ、ノズルヘッド５１のストレーナ５２に設けられた穴５２Ａから吐水される。
【００３９】
このように、おしりソフト洗浄およびおしりハード洗浄のロータ回動角度領域の中間に止水位置（θ１  ）を設けたので、おしりソフト洗浄時およびおしりハード洗浄時の動作開始時における止水までの制御、動作終了時における止水以降の制御、例えばロータ２２の回動制御の一部、特にノズル伸出前およびノズル収納開始後にノズルの伸出／収納、電磁弁のＯＮ／ＯＦＦおよびロータ２２の回動などの各種制御をほぼ同時に行うという比較的複雑な制御を兼用することができ、制御処理手順を簡略化できる。
【００４０】
また、ビデ洗浄時には、図７に示すように、操作部９（図１参照）のビデ洗浄ＳＷの操作に応じて、制御部１が電磁弁３をＯＮして水道水を温水タンク２に供給する。
これにより、密閉された温水タンク２の内圧が上昇し、温水タンク２内の温水がバキュームプレーカ８を介して流調バルブ１０に供給される。
【００４１】
通常の待機時には、流調バルブ１０のロータ２２が水抜位置（θ３  ）に設定されており、収納位置にあるノズル１５の水路１１〜１３から温水が吐水され、前洗浄動作として、ノズルヘッド５１およびストレーナ５２自体が洗浄される。
前洗浄動作終了後、電磁弁３のＯＦＦから所定時間だけ待機し、止水位置（θ５  ）まで一気に回動される。
【００４２】
続いて、制御部１によりモータ１６が駆動され、ノズル１５が所定の局部洗浄位置まで伸出する。
この後、ロータ２２がビデ洗浄側（θ４  方向）に徐々に回動されるとともに、所定回動位置で電磁弁３が０Ｎされる。
これにより、温水タンク側からの温水が流調バルブ１０で水路１３に切り替えられ、ノズルヘッド５１のストレーナ５２に設けられた穴５２Ｃから吐水される。
【００４３】
なお、吐水される温水の水勢は、ロータ２２の回動に応じて、予め操作部９のつまみなどで設定された上限値まで、徐々に強くなる。図７では、上限値として最大値が設定されている例が示されている。
その後の停止ＳＷの操作に応じて、電磁弁３がＯＦＦされ、所定期間待機した後、ロータ２２が止水位置（θ５  ）まで回動されて吐水が停止され、モータ１６が駆動され、ノズル１５が元の収納位置まで収納される。
【００４４】
続いて、ロータ２２が水抜位置（θ３  ）まで一気に回動され、再び電磁弁３がＯＮされる。これにより、収納位置にあるノズル１５の水路１１〜１３から、温水が吐水され、後洗浄動作として、ノズルヘッド５１およびストレーナ５２自体が洗浄される。
この後、ロータ２２がストッパ（止水）位置（θ５  ）まで一旦回動されて基準位置が認識された後、水抜位置まで戻されて待機状態となり、一連のビデ洗浄動作を終了する。
【００４５】
このように、通常の待機時のロータ停止角度である水抜位置（θ３  ）の両側におしり洗浄およびビデ洗浄のロータ角度領域をそれぞれ設けたので、いずれの洗浄動作を開始する場合でも、ほぼ等しい時間で洗浄を開始することができ、おしりハード洗浄、ビデ洗浄に加えておしりソフト洗浄を同一ロータの回動角で切替制御する場合でも、動作の違いによる洗浄開始までの時間差をなくし、利用者への違和感を抑止できる。
【００４６】
【発明の効果】
以上説明したように、本発明は、第１の発明として、第１の水路を共用して異なる洗浄動作を行う場合に、各洗浄動作に応じてタンクの水または温水を切り替え供給する流調バルブを備え、流調バルブは、固定支持されたステータと、このステータに摺動して回動自在に支持され制御部の指示に応じて所定の回動角度位置に回動されるロータとを有し、ロータは、タンクからの水または温水を通水する通水部を有し、ステータは、各洗浄動作ごとに異なる回動角度位置に設けられ、ロータの通水部から通水された水または温水を第１の水路に供給する複数の穴部を有し、流調バルブは、前記複数の穴部の中間に対応する回動角度位置に止水位置を有するものである。
したがって、従来のように、流調バルブにおいて各水路に対して１つの流量調節機構しか備えていないものと比較して、同一水路を異なる洗浄動作で共用する場合でも、設計上の自由度が広く、各洗浄動作に応じた最適な吐水量制御および止水制御を行うことができる。
【００４７】
また第２の発明として、流調バルブに、第１の水路とは異なる第２の水路を設けて、タンクの水または温水を第１の水路のみ、または第１の水路と第２の水路の両方のいずれかに切り替え供給するものとし、第１の水路へ水または温水を供給するロータの第１の通水部およびステータの第１および第２の穴部とは異なる半径位置に、第２の水路へ水または温水を供給するロータの第２の通水部およびステータの第３の穴部を設け、第１の通水部から第２の穴部に通水される回動角度位置で第２の通水部から第３の穴部にも通水されるようにしたものである。
したがって、ロータおよびステータの限られた面積および回動角度を有効に利用することができ、流調バルブを大型化することなく、第１の水路のみへの給水、または第１および第２の水路への給水を切替制御することができる。
【００４８】
また第３の発明として、第２の発明において、流調バルブにより、第１のおしり洗浄動作を行う場合には第１の水路へのみタンクの水または温水を供給し、第１のおしり洗浄動作時より局部への刺激の少ない第２のおしり洗浄動作を行う場合には第１および第２の水路の両方にタンクの水または温水を供給するようにしたものである。
したがって、第１および第２の水路から、十分な吐水量の水または温水を供給することができ、洗浄力を低下させることなく、局部への刺激の少ないソフト感のあるおしり洗浄を行うことができる。また第１のおしり洗浄動作時に用いる第１の水路を、第２のおしり洗浄動作時に兼用するようにしたので、比較的吐水量が小さく断面積の小さい第２の水路のみを新たに設けるだけで済み、流調バルブやノズル径の大型化を抑制することができる。
【００４９】
また、第４の発明は、第２発明において、第１の半径位置を、第２の半径位置より外側の半径位置としたので、同一回動角度範囲でも比較的面積が大きいロータおよびステータの外周側に、ロータの第１の通水部およびステータの第１および第２の穴部として、面積の大きな穴部を形成することができ、限られた回動角度であっても比較的大きな吐水量を第１の水路に給水できる。
【図面の簡単な説明】
【図１】本発明の一実施の形態による衛生洗浄装置のブロック図である。
【図２】流調バルブの構成を示す説明図である。
【図３】ロータの回動角度位置と各水路からの吐水量との関係を示す説明図である。
【図４】ロータの回動角度位置とステータとの位置関係を示す説明図である。
【図５】ノズル先端を示す説明図である。
【図６】おしり洗浄時の動作を示すシーケンス図である。
【図７】ビデ洗浄時の動作を示すシーケンス図である。
【符号の説明】
１…制御部、２…温水タンク、３…電磁弁、４…安全弁、５…ヒータ、６…温度センサ、７…フロートスイッチ、８…バキュームプレーカ、９…操作部、１０…流調バルブ、１１〜１３…水路、１４…モータ、１４Ａ…回動軸、１４Ｂ…アーム、１５…ノズル、１６…モータ、２０Ａ〜２０Ｃ…温水出口、２０Ｌ…本体、２０Ｍ…蓋体、２０Ｐ…０リング、２０Ｑ…シール部材、２０Ｓ…ストッパ、２０Ｔ…温水入口、２０Ｕ…カバー、２０Ｗ…液室、２０１〜２０３…水路、２０４〜２０６…穴、２１…ステータ、２１Ａ〜２１Ｃ…水路、２１Ｓ…Ｏリング、２１１〜２１４…長穴、２２ロータ、２２Ａ…切り欠き、２２Ｂ…穴、２２Ｃ…軸穴、２３…ステム、２３Ａ…係止片、２３Ｂ…シール部材、２３Ｃ…コイルバネ、５１…ノズルヘッド、５２…ストレーナ、５３…液室。
【図１】
0003602693.tif 000002
【図２】
0003602693.tif 000003
【図３】
0003602693.tif 000004
【図４】
0003602693.tif 000005
【図５】
0003602693.tif 000006
【図６】
0003602693.tif 000007
【図７】
0003602693.tif 000008